(57)【要約】【課題】アシスタント用のインスツルメントをできるだけ患者の近くにかつ少数本例えば１本又は２本に分割して配設可能としたインスツルメントホルダーを提供する。【解決手段】歯科治療ユニットの所望の箇所に固定して或いは着脱自在に設けられたコネクタ２０と、該コネクタ２０に着脱自在に連結されるインスツルメントホルダー１０1，１０2等とから成る。これらインスツルメントホルダー１０1，１０2は１又は２本のインスツルメントを懸架するインスツルメント懸架孔１２を有する。【選択図】図１
2009034362.tif 000002
【特許請求の範囲】
【請求項１】
歯科治療ユニットの所望の箇所に固定して或いは着脱自在に設けられたコネクタと、該コネクタに着脱自在に連結されるインスツルメントホルダーとから成り、該インスツルメントホルダーは１又は２本のインスツルメントを懸架するインスツルメント懸架孔を有することを特徴とする歯科用インスツルメントホルダー。
【請求項２】
更に、一端が前記コネクタに着脱自在に連結され、他端が前記インスツルメントホルダーに着脱自在に連結され、両端間に単一のインスツルメント懸架孔を有する増設用インスツルメントホルダーを有することを特徴とする請求項１に記載の歯科用インスツルメントホルダー。
【請求項３】
前記インスツルメントホルダー及び連結増設用インスツルメントホルダーは、前後を変えて着脱可能であり、前記インスツルメント懸架孔を前側或いは後側にして連結可能であることを特徴とする請求項１または２に記載の歯科用インスツルメントホルダー。
【発明の詳細な説明】
【技術分野】
【０００１】
本発明は、歯科用インスツルメントホルダー、より詳細には、歯科治療ユニットの所望の箇所に簡単に取り付けることができ、しかも、所望するインスツルメントの数に応じて、所望数のホルダを連接して増設可能とした歯科用インスツルメントホルダー、好ましくは、アシスタント用のインスツルメントホルダーに関する。
【背景技術】
【０００２】
図５は、本発明が適用されるアシスタント用インスツルメントホルダーを備えた歯科治療ユニットの一例を説明するための概略全体構成図で、該歯科治療ユニットは、歯科治療椅子１、ワークテーブル２、術者（ドクター）用インスツルメントホルダー３、術者用インスツルメント４、インスツルメントホース５、スピットン（うがい鉢）６、アシスタント用インスツルメントホルダー７等を備え、術者用インスツルメントホルダー３には、歯科治療において術者が使用する種々のインスツルメント４が収納されており、術者（ドクター）は、歯科治療に当り、治療椅子１を上下動、倒起動、傾斜動等させて、患者を治療しやすい姿勢にし、インスツルメントホルダー３より診療に必要なインスツルメント４を引き出して治療を行う。
【０００３】
アシスタント用インスツルメントホルダー７には、シリンジ、バキューム管、排唾管等のアシスタント用のインスツルメント８が準備されており、治療時、アシスタントがこれらインスツルメントを使用して患者の口腔内を清浄にし、或いは、患者の口腔内に生じる汚液、唾液等を吸引、排出するようにしている。このアシスタント用インスツルメントホルダー７は、スタンドアロン式のものがあるが、アーム９を通して固定部材、例えば、スピットン給排水ボックスに固定されているものもある。
【発明の開示】
【発明が解決しようとする課題】
【０００４】
上述のように、歯科治療ユニットにおいては、シリンジ、バキューム管、排唾管等のアシスタント用インスツルメントを有し、これらアシスタント用のインスツルメントを用いて、アシスタントが患者の口腔内を清浄するが、従来、これら複数のインスツルメントが、図５に示したように、患者から必ずしも近くない所定の１箇所にまとめて配設されている。そのため、他の作業の多いアシスタントにとって、その都度、インスツルメントを取りに行ったり、戻しに行ったりするのは大変であった。
【０００５】
本発明は、上述のごとき実情に鑑みてなされたものであり、アシスタント用のインスツルメントをできるだけ患者の近くにかつ少数本例えば１本又は２本に分割して配設可能としたインスツルメントホルダーを提供することを目的としてなされたものである。
【課題を解決するための手段】
【０００６】
請求項１の発明は、歯科治療ユニットの所望の箇所に固定して或いは着脱自在に設けられたコネクタと、該コネクタに着脱自在に連結されるインスツルメントホルダーとから成り、該インスツルメントホルダーは１又は２本のインスツルメントを懸架するインスツルメント懸架孔を有することを特徴としたものである。
【０００７】
請求項２の発明は、請求項１の発明において、更に、一端が前記コネクタに着脱自在に連結され、他端が前記インスツルメントホルダーに着脱自在に連結され、両端間に単一のインスツルメント懸架孔を有する増設用インスツルメントホルダーを有することを特徴としたものである。
【０００８】
請求項３の発明は、請求項１または２の発明において、前記インスツルメントホルダー及び連結増設用インスツルメントホルダーは、前後を変えて着脱可能であり、前記インスツルメント懸架孔を前側或いは後側にして連結可能であることを特徴としたものである。
【発明の効果】
【０００９】
本発明によると、アシスタント用インスツルメントを患者に近い所望の位置に単独で（１本毎に）かつインスツルメントの種類を変えて配設することができるので、アシスタントによって非常に使い勝手のよいものであり、しかも、小さくまとまっているので、患者は自分の近くにあってもそれ程気になるものでもない。
【発明を実施するための最良の形態】
【００１０】
図１は、本発明によるアシスタント用インスツルメントホルダーを備えた歯科治療椅子の一例を示す図で、図中、１０１（インスツルメント懸架用の孔１２が一箇のもの）、１０２（インスツルメント懸架用の孔１２が２箇のもの）は、本発明によって取り付けられたアシスタント用インスツルメントホルダーで、その他は、図５に示した周知の歯科治療ユニットと同じであるので、その他の構成についての説明は省略する。インスツルメントホルダー１０1は、歯科治療椅子１のバックレスト側部に設けられたコネクタ２０（図示せず）に着脱自在に連結され、インスツルメントホルダー１０2は、歯科治療椅子の肩部に着脱自在に装着される支柱３０の上端部に設けられたコネクタ２０に着脱自在に連結されるようになっている。
【００１１】
図１には、歯科治療椅子１のバックレストの側部及び肩部の２箇所にアシスタント用インスツルメントホルダー１０１、１０２を設けた例を示したが、これらは、歯科治療椅子に対して着脱可能なものであるから、両者を取り換えて、または、いずれか一方にのみ取り付けて使用することも可能である。また、図１には、インスツルメント懸架用の孔１２を前方にして取り付けた例を示したが、インスツルメントホルダーは、これらインスツルメント懸架用の孔１２の前後の向きを変えて取り付けることができるようになっているので、これらの懸架用の孔１２が後向きになるように取り付けることも可能である。
【００１２】
図２は、本発明によるアシスタント用インスツルメントホルダーを備えた歯科治療ユニットの例を示す図で、この例の場合、スピットン装置（給排水ボックス）から延長したアーム９の先端に設けられたコネクタ２０（図示せず）に本発明による増設用インスツルメントホルダー１０3及び１０2が連結して設けられている。この例の場合、コネクタ２０（図示せず）にインスツルメントホルダー（増設用インスツルメントホルダー）１０3が連接され、このインスツルメントホルダー１０3に前述のインスツルメントホルダー１０2が連接されているが、この増設用のインスツルメントホルダー１０3を２個連接し、その先に、前述のインスツルメントホルダー１０1を連接するようにしてもよい。なお、この増設用インスツルメントホース１０3は、一端に、インスツルメントホルダー１０1、１０2と同一構成の、つまり、コネクタ２０に連接される端部構造を有し、他端に、コネクタ２０と同一構成の、つまり、インスツルメントホルダー１０1、１０2が連接される端部構造を有し、その両端間に、インスツルメント懸架用の孔１２を１つ有する。
【００１３】
図３は、本発明によるアシスタント用インスツルメントホルダーを分離した状態を示す図で、図中、１０1、１０2、１０3は、本発明による前述のインスツルメントホルダー、２０は歯科治療ユニット、或いは、歯科治療椅子に取り付けられた本発明によるコネクタで、インスツルメントホルダー１０1、１０2は終端ホルダ、１０3は増設用の中間ホルダである。インスツルメントを１本使用しようとする時は、例えば、図１に１０１にて示したように、インスツルメントホルダー１０1を治療椅子１に設けられたコネクタ２０に連結して使用し、インスツルメントを２本使用しようとする時は、例えば、インスツルメントホルダー１０2をコネクタ２０に連結して使用する。コネクタ２０にインスツルメントホルダー１０3を連結し、このインスツルメントホルダー１０3に１０1又は１０2を連結するようにして、２本又は３本のインスツルメントを懸架するようにしてもよい。これらの組み合せは、その場、その場に応じて自由に選択することができ、中間インスツルメントホルダー１０3を増設連結することにより、３本又はそれ以上のインスツルメントを懸架するようにすることができる。
【００１４】
図３の（Ａ）は、コネクタ２０に増設用インスツルメントホルダー１０3を連結し、次いで、この増設用インスツルメントホルダー１０3に先端用インスツルメントホルダー１０1を連結するようにした例を示し、図３の（Ｂ）は、コネクタ２０に先端用インスツルメントホルダー１０2を連結するようにした例を示す。各インスツルメントホルダー１０1、１０2、１０3には連結用の押し釦１１が設けられており、この押し釦１１を押下することにより、ロック部片１１ａが引っ込み、その状態で、インスツルメントホルダーの１０ａ、１０ｂによって形成される平面をコネクタ２０のロック片２０ａ、２０ｂによって形成される空間を通して挿入し、挿入後、押し釦１１を押す力を放すと、ロック部片１１ａが元の状態に戻り（平面１０ａから突出し）、この突出部（ロック部片）１１ａがロック片２０ａの内側に引っ掛かり、インスツルメントホルダーがコネクタ２０に連結される。
【００１５】
図４は、連結機構の一例を説明するための要部断面構成図で、図中、１１は押し釦、１２は該押し釦１１の回転軸、１３は伸張ばね、１１ａは押し釦１１のロック部片で、該連結機構は、各インスツルメントホルダー１０１、１０２、１０３に設けられており、押し釦１１を押すことにより、伸張ばね１３が圧縮され、押し釦本体部が回動し、該本体部の先端ロック部片１１ａが下方に下り、押し釦１１全体が点線にて示す状態となり、ロック部片１１ａとコネクタ２０に設けられたロック片２０ａとの係合がはずれ、この状態で、インスツルメントホルダー１０1、１０2は増設用インスツルメントホルダー１０3又はコネクタ２０に対して挿脱可能となり、増設用インスツルメントホルダー１０3はコネクタ２０に対して挿脱自在となる。
【００１６】
上述のように、本発明によると、押し釦１１を押圧することにより、各インスツルメントホルダー、及び、コネクタは相互に挿脱することができ、挿入した状態（連結した状態）で押し釦１１を押圧する力を解除すると両者を連結固定することができ、この連結した状態で、インスツルメントホルダーとして機能する。コネクタ２０及び増設用インスツルメントホルダー１０3の接続端中心部には電気接点端子２３が設けられており、これらコネクタ２０及び増設用インスツルメントホルダー１０3に接続されるインスツルメントホルダー１０1、１０2の接続端中心部には電気接点端子２４が設けられており、連結された時に、これら電気接点端子２３、２４も同時に連結され、インスルツルメントホルダーに懸架されたインスツルメントが取り出された時に、該インスツルメントが取り出されたことをセンサによって検知し、そのセンサ出力によって、当該インスツルメント（例えば、シリンジ）に供給される水回路及び／又はエアー回路が制御され、インスツルメントの手元スイッチを操作した時に該操作に対応した水及び／又はエアーが供給されるようになっている。しかし、バキューム、排唾管等においては、手元スイッチの操作のみで、吸引力を制御することができるので、このようなインスツルメントに対しては、必ずしも、センサを設ける必要はなく、従って、センサのための電気回路も不要である。
【００１７】
本発明によるインスツルメントホルダー間の連結、及び、インスツルメントホルダーとコネクタとの連結は、受け側（挿入される部材側）の連結部において上下に平行に配設されたロック片（２０ａ、２０ｂ）と該平行に配設されたロック部片内に挿入される挿入側部材に設けられている上下の平行面１０ａ、１０ｂによって、インスツルメントホルダーの上下の平行面をコネクタのロック部片間に挿入することによって行われる。従って、各インスツルメントホルダーは、前後を逆にして相手側部片に挿入することができ、インスツルメント懸架用の孔１２は、必要に応じて、前向き或いは後向きのいずれにしても連結することが可能である。なお、前後を逆にして連結した時は、２０ｂがロック部片１１ａに対するロック片として働く。
【００１８】
なお、図１において、インスツルメントホルダー１０１は、歯科治療椅子１の側部に内設したコネクタを連結するようにした例、インスツルメントホルダー１０２は、歯科治療椅子１の肩部に着脱自在に立設したコネクタに連結するようにした例を示し、図２は、インスツメントホルダー１０３をスピットン装置から延長したアーム９の先端に取り付けたコネクタに延長して取り付けた例を示したが、本発明は、上記実施例に限定されたものではなく、アシスタントが使用しやすい場所に、必要手段のすなわち少数本のインスツルメントを分散して配設することができ、アシスタントにとって使い勝手がよく、患者に対して、あまり恐怖感を与えない配設構成とするアシスタント用インスツルメントホルダーを構成することができる。
【図面の簡単な説明】
【００１９】
【図１】本発明によるアシスタント用インスツルメントホルダーを備えた歯科治療椅子の一例を示す図である。
【図２】本発明によるアシスタント用インスツルメントホルダーを備えた歯科治療ユニットの例を示す図である。
【図３】本発明によるアシスタント用インスツルメントホルダーを分離した状態を示す図である。
【図４】連結機構の一例を説明するための要部断面構成図である。
【図５】本発明が適用されるアシスタント用インスツルメントホルダーを備えた歯科治療ユニットの一例を説明するための概略全体構成図である。
【符号の説明】
【００２０】
１０1，１０2，１０3…インスツルメントホルダー、１１…押し釦、１１ａ…ロック部片、１２…インスツルメント懸架孔、１３…軸、１４…ばね、２０…コネクタ、２３，２４…電気端子。
【図１】
2009034362.tif 000003
【図２】
2009034362.tif 000004
【図３】
2009034362.tif 000005
【図４】
2009034362.tif 000006
【図５】
2009034362.tif 000007